(57)【要約】【課題】手元ハンドル体を持った状態で床面吸込み具を狭い領域に導くことが可能な床面吸込み具を有する電気掃除機を提供することを目的とする。【解決手段】課題を解決するには、電気掃除機において、内部に電動送風機及び集塵部を設けた本体と、一端が前記本体に接続される吸引ホースと、吸引ホースの他端に取り付けられる手元ハンドル体と、手元ハンドル体に接続する延長管と、延長管に接続する床面吸込み具を備え、床面吸込み具は、ケース体と、延長管と接続する継手部と、被清掃面から塵埃をかき出す回転ブラシを有し、継手部は、延長管と接続する第１の接続管と、ケース体と接続する第２の接続管を有し、第２の接続管に対して第１の接続管が回転自在に接続し、継手部は、ケース体に対して、取り付け位置を中心に前後方向に回転自在に取り付けるように構成すればよい。【選択図】図１
2015146959.tif 000002
【特許請求の範囲】
【請求項１】
内部に電動送風機及び集塵部を設けた本体と、
一端が前記本体に接続される吸引ホースと、
前記吸引ホースの他端に取り付けられる手元ハンドル体と、
前記手元ハンドル体に接続する延長管と、
前記延長管に接続する床面吸込み具を備え、
前記床面吸込み具は、ケース体と、前記延長管と接続する継手部と、被清掃面から塵埃をかき出す回転ブラシを有し、
前記継手部は、前記延長管と接続する第１の接続管と、前記ケース体と接続する第２の接続管を有し、前記第２の接続管に対して前記第１の接続管が回転自在に接続し、
前記継手部は、前記ケース体に対して、取り付け位置を中心に前後方向に回転自在に取り付けられることを特徴とする電気掃除機。
【請求項２】
前記継手部は前記ケース体の上部側に取り付けられることを特徴とする請求項１に記載の電気掃除機。
【請求項３】
前記継手部は、前記ケース体の前方に向けて動かすことで、前記第１の接続管と前記第２の接続管が対向する合わせ位置を、前記ケース体の上方で床面と平行にすることが可能であり、この状態において、前記第１の接続管を前記第２の接続管に対して回転させることで、該第１の接続管の延びる方向を、前記ケース体の側面方向に向けることが可能であることを特徴とする請求項１又は請求項２のいずれかに記載の電気掃除機。
【請求項４】
前記第２の接続管に対する前記第１の接続管の回転動作を規制するロック機構を備えたことを特徴とする請求項１から請求項３に記載の電気掃除機。
【請求項５】
前記ロック機構は、前記第２の接続管に対して前記第１の接続管が９０度回転することで動作することを特徴とする請求項４に記載の電気掃除機。
【発明の詳細な説明】
【技術分野】
【０００１】
本発明は、被清掃面である床面から塵埃を吸引する床面吸込み具を有する電気掃除機に関するものである。
【背景技術】
【０００２】
従来から、内部に電動送風機と集塵部を有する本体と、この本体にホースを介して接続する手元ハンドル体（把持部）と、この手元ハンドル体に接続する延長管と、この延長管に接続する床面吸込み具（吸込み口体）を有する電気掃除機がある。
このような電気掃除機を成す床面吸込み具は、被清掃面である床面から塵埃を吸込む部位であり、内部に回転ブラシを収容し下方に向けて開口する吸込み室が形成されたケース体と、このケース体の後部中央に取り付けられ取り込んだ塵埃の流路となると共に、延長管と接続する接続位置が形成された継手部（パイプ部）を有する。
そして、継手部はケース体に対して、取り付け位置を中心に前後に回転自在に取り付けられている（例えば、特許文献１参照）。
【先行技術文献】
【特許文献】
【０００３】
【特許文献１】特開２０１１−０５５９０６号公報（図２）
【発明の概要】
【発明が解決しようとする課題】
【０００４】
このような、従来の床面吸込み具では、継手部はケース体に対して、取り付け位置を中心に前後に回転自在に取り付けられていることから、ケース体から手元ハンドル体に至る形状が、Ｔ字形状（ケース体の左右方向に対して直角方向に延長管が延びる形状）を維持して使用することは可能である。
しかしながら、ケース体の前面幅より狭い家具の隙間などの狭い部分に、床面吸込み具を導き入れることができないという課題があった。
【０００５】
本発明は、上記のような課題を解決する為になされたもので、手元ハンドル体を持った状態で床面吸込み具を狭い領域に導くことが可能な床面吸込み具を有する電気掃除機を提供することを目的とする。
【課題を解決するための手段】
【０００６】
上記の課題を解決するには、電気掃除機において、内部に電動送風機及び集塵部を設けた本体と、一端が前記本体に接続される吸引ホースと、吸引ホースの他端に取り付けられる手元ハンドル体と、手元ハンドル体に接続する延長管と、延長管に接続する床面吸込み具を備え、床面吸込み具は、ケース体と、延長管と接続する継手部と、被清掃面から塵埃をかき出す回転ブラシを有し、継手部は、延長管と接続する第１の接続管と、ケース体と接続する第２の接続管を有し、第２の接続管に対して第１の接続管が回転自在に接続し、継手部は、ケース体に対して、取り付け位置を中心に前後方向に回転自在に取り付けるように構成すればよい。
【発明の効果】
【０００７】
本発明によれば、手元ハンドル体を持った状態で床面吸込み具を狭い領域に導くことが可能な床面吸込み具を有する電気掃除機を得ることができる。
【図面の簡単な説明】
【０００８】
【図１】実施の形態１に係る電気掃除機の全体斜視図
【図２】実施の形態１に係る床面吸込み具の側面図１
【図３】実施の形態１に係る床面吸込み具の上方から見た平面図
【図４】実施の形態１に係る床面吸込み具の底面図
【図５】実施の形態１に係る床面吸込み具の回転ブラシが外れた状態を示す底面図
【図６】図２のＹ−Ｙ断面図
【図７】図３のＸ−Ｘ断面図
【図８】実施の形態１に係る床面吸込み具の分解斜視図１
【図９】実施の形態１に係る床面吸込み具の分解斜視図２
【図１０】実施の形態１に係る床面吸込み具の分解斜視図３
【図１１】実施の形態１に係る床面吸込み具の継手部の分解斜視図
【図１２】実施の形態１に係る床面吸込み具の側面図２
【図１３】実施の形態１に係る床面吸込み具の側面図３
【図１４】（ａ）実施の形態１に係る床面吸込み具の側面図４  （ｂ）実施の形態１に係る床面吸込み具の斜視図
【図１５】図１３のＺ１−Ｚ１断面図
【図１６】図１４のＺ２−Ｚ２断面図
【発明を実施するための形態】
【０００９】
（実施の形態１）
以下、図１〜図１５を参照して実施の形態１を説明する。
まず、図１を参照して、電気掃除機１について説明する。
図１は、実施の形態１における電気掃除機１を示す斜視図である。
【００１０】
図１に示すように、電気掃除機１は、本体（掃除機本体）２、ホース３、手元ハンドル体４、延長管５、床面吸込み具６を備える。
床面吸込み具６は、下向きに形成された開口から、床面上のごみ（塵埃）を空気と一緒に内部に取り込む部位である。この床面吸込み具６の吸気側の端部には、次に説明する延長管５に接続する継手部７０が設けられている。
【００１１】
次に延長管５は、後述する手元ハンドル体４に接続する集塵接続体の１つであり、全体として真直ぐな円筒状を呈する。延長管５の一端部は床面吸込み具６の継手部６ａに接続し、他端部は手元ハンドル体４に接続する。
使用者は、延長管５に設けられたボタン５ａの操作を行うことにより、床面吸込み具６を延長管５から取り外すことができる。
【００１２】
延長管５は、吸気側の端部にブラシ５ｃを備える。このブラシ５ｃは、床面吸込み具６を外した状態で被清掃面に接触させて使用するもので、延長管５の吸気側の開口周辺に移動可能である。
使用者は、延長管５の排気側の端部に設けられた伸縮ボタン５ｂを操作することにより、延長管５を伸縮させることができる。
【００１３】
ここでは、手元ハンドル体４に接続される集塵接続体の例として、延長管５について説明したが、この他に、先端が窄んだ形状に構成され狭い部分の塵埃を吸い取りやすく構成されたノズルや、先端にブラシが植毛され隙間などの塵埃を書き出しやすく構成されたブラシ等も、集塵接続体である。
また、床面吸込み具６も、延長管５に取り付けることで、間接的に手元ハンドル体４に取り付けられることから集塵接続体である。
【００１４】
次に、手元ハンドル体４は、掃除を行う時に使用者が持つ部分であり、操作体となる部位である。使用者は、手元ハンドル体４を持ち、この手元ハンドル体４を操作して、集塵接続体を被清掃面に向けて落ちている塵埃を吸引する。
例えば、本実施の形態の場合、使用者は、手元ハンドル体４を操作して、延長管５に取り付けた床面吸込み具６の位置及び向きを変える。手元ハンドル体４の吸気側の端部（吸込み側開口４１）は、延長管５の排気側端部に接続する。
使用者は、手元ハンドル４に設けられた解除ボタン４ａを操作することにより、延長管５を手元ハンドル体４から取り外すことができる。手元ハンドル体４は、吸気側の端部に、延長管５を取り外した状態で使用するためのブラシ４００を備える。
【００１５】
次に、ホース３は、要部が、可撓性を備えた蛇腹状である中空の部材からなる。ホース３の吸気側の端部は、手元ハンドル体４に接続される。ホース３は、排気側の端部は、硬質の接続部３ａを備え、この接続部３ａが本体２に接続される。
本体２は、ホース３の接続部３ａが接続し、ごみを含む空気（含塵空気）を集塵部に通すことで、空気と塵埃を分離する。この本体２は、後部に開口する排気口（図示せず）より、塵埃が取り除かれた空気（清浄空気）を排出する。空気から分離したごみは、本体２の内部に溜められる。
【００１６】
以上のように各部が接続されることで、床面吸込み具６や延長管５などの集塵接続体から、手元ハンドル体４、ホース３、そして、本体２（集塵部）へと至る一続きの風路Ｆが形成される。
【００１７】
次に、本体２は内部に、電動送風機１１、集塵部１２を備える。
電動送風機１１は、電気掃除機１に形成された風路Ｆに、吸込み側である集塵接続体から排気側である排気口に向けて本体２内部に流下する気流を発生させる。
この電動送風機１１が吸引動作を行うと、床面上のごみが空気と一緒に床面吸込み具６に吸い込まれる。床面吸込み具６に吸い込まれた含塵空気は、床面吸込み具６、延長管５、手元ハンドル体４、ホース３の各内部を通り、本体２に送られる。
【００１８】
集塵部１２は、本体２の内部に流入したごみを空気（気流）から分離する。集塵部１２は、空気から分離したごみを捕捉する。図１は、集塵部１２の一例として、紙パック式の分離装置を示している。集塵部１２として、サイクロン式の分離装置や他の方式の分離装置を採用してもよい。
【００１９】
また、本体２は、両側に大型の車輪１３ａを、下面に小型の車輪１３ｂを備える。小型の車輪１３ｂは、その向きを自在に変えることができるように取り付けられている。このため、本体２は、大型の車輪１３ａ及び小型の車輪１３ｂが床面に接触した状態で向きを変えることができる。
【００２０】
次に、本実施の形態の要部である床面吸込み具６について、図２〜図１１を参照して説明する。
床面吸込み具６は、ケース体６０と、このケース体６０の後部中央に設けられる継手部７０と、ケース体６０の内部に収容される回転ブラシ８０と、この回転ブラシを駆動するモーター９１や駆動基板９２やプーリー９３やベルト９４やシャフト９５からなる駆動部９０を有する。
【００２１】
ケース体６０は、下ケース６１、この下ケース６１の上面に取り付けられる上ケース６２と、上面を形成するカバー６３（右カバー６３ａ、左カバー６３ｂ、中カバー６３ｃ）を有する。
【００２２】
次に、下ケース６１について説明する。
主に図４〜図６、図１０を参照すると、下ケース６１は、矩形状を成しており、下面側に内部に回転ブラシ８０を収容し下方に向けて開口する吸込み室６１ａと、上面側に後述する駆動部９０が搭載される駆動部搭載位置６１ｄが形成されている。
【００２３】
吸込み室６１ａは、下ケース６１の下面から内方に向けて凹んだ領域であり、吸込み室６１ａを形成する仕切り壁６１ｂには、第１の吸込み室開口６１Ｒと第２の吸込み室開口６１Ｌが開口している。
この第１の吸込み室開口６１Ｒと第２の吸込み室開口６１Ｌは、吸込み室６１ａの内部に吸込んだ塵埃を吸込み室６１ａから集塵部１２に向けて流下させるためのものである。
また、この第１の吸込み室開口６１Ｒと第２の吸込み室開口６１Ｌは、互いに左右中心に対称となる位置に開口している。
【００２４】
つまり、２つの吸込み室開口６１Ｒ，６１Ｌは、下ケース６１の左右中心を挟んで、所定の間隔を隔てて開口している。
尚、２つの吸込み室開口６１Ｒ，６１Ｌの間隔は、後述する継手部７０左右幅Ｒと同じか広い間隔である。また、２つの吸込み室開口６１Ｒ，６１Ｌは、吸込み室６１ａの右壁６１１ａ及び左壁６１２ａより、内側に位置している。
また、この２つの吸込み室開口６１Ｒ，６１Ｌの間の後ろ側であって左右中央となる位置に、駆動部搭載位置６１ｄが形成されている。
【００２５】
次に、上ケース６２について説明する。
主に、図６〜図１０を参照すると、上ケース６２は、下ケース６１の上面を被い、下ケース６１に取り付けられた際に、第１の吸込み室開口６１Ｒ、第２の吸込み室開口６１Ｌにそれぞれ対向する第１の連通開口６２Ｒ、第２の連通開口６２Ｌが開口している。この２つ連通開口６２Ｒ，６２Ｌは、左右中心に対称となる位置に形成されている。
また、上ケース６２の上面には、それぞれの連通開口６２Ｒ，６２Ｌと上ケース６２の上面の一部を囲むように、リブ形状の仕切り６２ｂが形成されている。
【００２６】
この仕切り６２ｂには、側方から見て上方に向けて開口する半円状の下切り欠き６２ｃが形成されている。この下切り欠き６２ｃは、２つの仕切り６２ｂ、それぞれに形成されており、左右中心を挟んで向かい合っている。
尚、この下切り欠き６２ｃが形成された一対の仕切り６２ｂは、それぞれ左右中心に対称の位置となるように形成されている。
【００２７】
カバー６３は、右カバー６３ａと左カバー６３ｂと中カバー６３ｃからなる。
右カバー６３ａは、右側に位置する仕切り６２ｂから右側の下ケース６１及び上ケース６２を被う。左カバー６３ｂは、左側に位置する仕切り６２ｂから右側の下ケース６１及び上ケース６２を被う。
【００２８】
また、右カバー６３ａと左カバー６３ｂには、それぞれ側方から見て下方に向けて開口する半円状の上切り欠き６３１ａ，６３１ｂが形成されている。
右カバー６３ａが上ケース６２を被うと、それぞれ半円状の上切り欠き６３１ａと下切り欠き６２ｂが上下に合わさり、円形状の接続開口６ａを形成する。同様に、上切り欠き６３１ｂと下切り欠き６２ｂが上下に合わさり、円形状の接続開口６ｂを形成する。
このように、上ケース６２の上面を右カバー６３ａ及び左カバー６３ｂで被うことにより、接続開口６ａ，６ｂは、ケース体６０の上部に形成される。
【００２９】
更に、右カバー６３ａと上カバー６２の右側の仕切り６２ａとこの仕切り６２ａに囲まれた上カバー６２の上面に囲まれた第１の空間ＫＲが形成される。この第１の空間ＫＲは、連通開口６２ａから接続開口６ａを連通する空間となる。
また、下ケース６１の第１の吸込み室開口６１Ｒと上ケース６２の連通開口６２ａが対向することから、下ケース６１の吸込み室６１ａから第１の空間ＫＲを経て接続開口６ａに至る空間は、一続きの連通した空間となる。
【００３０】
同様に、左カバー６３ｂと上カバー６２の左側の仕切り６２ａとこの仕切り６２ａに囲まれた上カバー６２の上面に囲まれた第２の空間ＫＬが形成される。この第２の空間ＫＬは、連通開口６２ａから接続開口６ｂを連通する空間となる。
また、下ケース６１の第２の吸込み室開口６１Ｌと上ケース６２の連通開口６２ａが対向することから、下ケース６１の吸込み室６１ａから第２の空間ＫＬを経て接続開口６ｂに至る空間は、一続きの連通した空間となる。
【００３１】
次に、継手部７０について説明する。
主に図８〜図１１を参照すると、継手部７０は、第１の接続管７１と第２の接続管７２と、第１の接続管７１と第２の接続管７２の接続位置に介在するロック部材７３から構成されている。
第１の接続管７１の一端には、延長管５が接続する接続端部７１ａが形成されている。接続端部７１ａは、延長管５の内方に入り込み係合することで延長管５と接続する。
【００３２】
この接続端部７１ａには、延長管５の接続方向に突出した給電端子７１１ａが設けられている。給電端子７１１ａは、延長管５側の給電端子と接続することにより、回転ブラシ８０を駆動する駆動部９０へ電力を供給するためのものである。
また、第１の接続管７１の他端には、開口部分に第２の接続管７２と接続する接続受部７１ｂが形成されている。接続受部７１ｂは円形状に開口する部位であり、接続端部７１ａの開口と連通している。
尚、接続受部７１ｂが形成されている開口の開口縁７１１ｂは、側方から見た場合、第１の接続管７１が延びる方向に対して角度４５度、接続端部側に傾いている。
【００３３】
次に、第２の接続管７２は、後端と前側の左端と右端の３方向に向けて開口した形状を成しており、後方を向く開口部分には後接続部７２ａ、右方を向く開口部分には右接続部７２ｂ、左方を向く開口部分には左接続部７２ｃがそれぞれ形成されている。
また、後接続部７２ａ、右接続部７２Ｒ、左接続部７２Ｌは、それぞれ筒状に突出した形状をなしており、それぞれの接続部の内方に形成された開口は連通している。
更に、第２の接続管７２の内部であって、右接続部７２Ｒと左接続部７２Ｌが向かい合う位置の周囲の壁面には、継手部７０から延長管５で構成される風路Ｆの方向に向けて突出する、整流手段となる整流リブ７２ｄが設けられている。
【００３４】
このように形成された後接続部７２ａは、第１の接続管７１の接続受部７１ｂの内部に入り込み、第２の接続管７２に対して第１の接続管７１が回転自在となるように、接続される。つまり、後接続部７２ａが軸となり、接続受部７１ｂが軸受となり接続され、第１の接続管７１と第２の接続管７２が対向する合わせ位置７０ａで、第２の接続管７２に対して第１の接続管７１が回転する。
このように、接続受部７１ｂの内部に後接続部７２ａが接続した状態において、両部材の間には、ロック部材７３が設けられる。
このロック部材７３は、第２の接続管７２に対して第１の接続管７１が所定の回転位置（例えば、左右方向に９０度回転した位置）まで回転すると、回転動作を抑制するロックをかけるものである。
【００３５】
尚、床面吸込み具６と延長管５と手元ハンドル体４が接続された状態で、使用者が手元ハンドル４を操作して、床面吸込み具６を床面から持ち上げた上体で、第２の接続管７２と第１の接続管７１がロックした状態が外れない程度の保持力である。
つまり、床面吸込み具６を床面に置いた状態で、使用者が手元とハンドル体４を操作して、第１の接続管７１を第２の接続管７２に対して回転させることで、容易にロックを解除することができる。（ロック機構の詳細な説明は後述する。）
【００３６】
次に、継手部７０は、次のようにケース体６０に取り付けられる。
右接続部７２Ｒは、ケース体６０に形成される接続開口６ａの内部に入り込み、ケース体６０に対して回転自在となるように接続される。つまり、右接続部７２ｂが軸となり、接続開口６ａが軸受となり接続される。
【００３７】
同様に、左接続部７２Ｌは、ケース体６０に形成される接続開口６ｂの内部に入り込み、ケース体６０に対して回転自在となるように接続される。つまり、左接続部７２ｃが軸となり、接続開口６ｂが軸受となり接続される。
尚、上記の構造は、まず、右接続部７２ｂと左接続部７２ｃは、それぞれ上方より一対の下切り欠き６２ｃに嵌め込まれ、上方よりカバー６３を取り付けることで、組み立てられる。
【００３８】
このように、第１の接続管７１の右接続部７２ｂと左接続部７２ｃが、それぞれ接続開口６ａ，６ｂに入り込み、ケース体６０に対して、継手部７０が前後するように回転自在に接続される。つまり、右接続部７２Ｒと左接続部７２Ｌが軸と成り、接続開口６ａ，６ｂが軸受となり接続され、接続開口６ａ，６ｂを中心に前後に継手部７０及びこの継手部７０に接続する延長管５が前後方向に回転自在に接続する。このとき、接続開口６ａ，６ｂは、ケース体６０の上部に位置しているので、継手部７０の回転動作範囲を広くすることができる。
また、これら接続部は、円筒形状を成しており、各接続部の内側は後述する風路Ｆの一部となる。
【００３９】
以上のように構成した床面吸込み具６は、次のように形態を変形する。
図２，図１０を参照すると、第１の接続管７１の接続受部７１ｂが形成されている開口の開口縁７１１ｂは、第１の接続管７１が延びる方向に対して、４５度の角度となっている。
従って、図２のように、継手部７０を後方に倒し最も寝かした状態（床面に対して平行にした状態）では、第１の接続管７１と第２の接続管７２の合わせ位置７０ａは、床面Ｇ（水平面）を基準に、第１の接続管７１側に４５度傾いた状態となる。
この床面吸込み具６の状態は、主に、床面Ｇの上方に障害物があるような場所（例えば、ベットなどの家具の下の床面）を掃除するときの形態である。
【００４０】
次に図１２は、継手部７０を後方に倒し最も寝かした状態から４５度前方に動かして起こした状態である。継手部７０の第１の接続管７１と第２の接続管７２の合わせ位置７０ａは、床面Ｇ（水平面）を基準に、垂直の状態となる。
この状態は、主に、使用者が立った状態で手元ハンドル体４を握り、床面Ｇの上方空間に障害物が無い状態の床面を掃除するときの形態である。
【００４１】
以上、ここまでの床面吸込み具６の形態は、ケース体６０の前面幅Ｗ方向に対して、継手部７０及びこの継手部７０に接続する延長管５が直交し、Ｔ字形状を成している。
つまり、このような状態は、使用者が手元ハンドル体４を前後に動かすことで、床面吸込み具６の前面幅Ｗの被清掃面の領域を一度に掃除できるが、家具の隙間等、前面幅Ｗより狭い被清掃面のある位置には、床面吸込み具６が入らない状態である。
【００４２】
次に図１３は、継手部７０を後方に倒し最も寝かした状態から、前方に１３５度動かした状態である。継手部７０の第１の接続管７１と第２の接続管７２の合わせ位置７０ａは、水平面（床面）と平行な状態となる。
この状態において、第１の接続管７１の接続端部７１ａは、前方斜め上方に向くことから、接続する延長管５も前方斜め上方に向かって延びる。従って、使用者は手元ハンドル体４を操作して、通常の使用の形態（図１２で示す形態）から、立ったままこの状態にすることができる。
【００４３】
次に図１４（ａ）（ｂ）は、図１３の状態から、第１の接続管７１を第２の接続管７２に対して、右方向に９０度回転させた状態である。
この状態において、第１の接続管７１の接続端部７１ａは、左方斜め上方に向くことから、接続する延長管５も左方斜め上方に向かって延びる。つまり、延長管５が左側面側から第１の接続管７１に接続した形態となる。
また、この状態において、ロック部材７３により、第２の接続管７２に対して第１の接続管７１の回転動作が抑制される。
【００４４】
この時、図１４における床面吸込み具６の形態は、ケース体６０の前面幅Ｗ方向に対して、第１の接続管５及び第１の接続管５に接続する延長管５が平行となり、Ｉ字形状を成している。
この状態において、第１の接続管７１に接続する延長管５及び手元ハンドル体４は、左側面方向において、ケース体６０の側面幅Ｌの空間内部にほぼ納まる。
【００４５】
従って、図１４の状態では、Ｔ字形状のときは床面吸込み具６の側面側であった面が前方を向くことになる。つまり、通常ケース体６は、前面幅Ｗより側面幅Ｌの方が小さいことから、前面幅Ｗより狭い被清掃面のある位置に、床面吸込み具６を入れることが可能となる。
これにより、家具の隙間等の狭い部分に、床面吸込み具６を入れることができる。
【００４６】
特に、図１３の状態に床面吸込み具６をしたとき、第１の接続管７１と第２の接続管７２の合わせ位置７０ａが被清掃面である床面と平行なとなる。
従って、手元ハンドル体４を握った状態で、図１４の状態へと、第２の接続管７２に対して第１の接続管７１を回す際に、被清掃面である床面と平行な面内でまわすことができるので、接続される手元ハンドル体４が上下しない。
これにより、手元ハンドル体４を握ったままでも、床面吸込み具６をＩ字形状に変形しやすい。
以上、手元ハンドル体４を操作して、第１の接続管７１を第２の接続管７２に対して、右方向に９０度回転させて、床面吸込み具４をＩ字形状の形態にする方法を説明したが、左回転させた場合も同様な効果を得る。
【００４７】
次に、第１の接続管７１と第２の接続管７２のロック機構について説明する
図１１，図１５〜図１６を参照すると、第１の接続管７１の接続受部７１ｂは円筒状の内壁７１２ｂを有する。この内壁７１２ｂには、円筒の外方向に凹む、第１の係止凹部７１３ｂと第２の係止凹部７１４が形成されている。
【００４８】
第１の係止凹部７１２ｂと第２の係止凹部７１３ｂは、開口中心を挟んで向かい合う位置関係となるように形成されている。つまり、第１の係止凹部７１２ｂに対して、第２の係止凹部７１３ｂが、開口中心から１８０度ずれた位置に設けられている。
尚、図中においては、内壁７１２ｂの上側に位置する面に第２の係止凹部７１４ｂが位置し、下側に位置する面に第１の係止凹部７１３ｂが位置している。また、第１の接続管７１と第２の接続管７２の間の内壁７１２ｂは、凹凸が無い滑らかな壁面となっている。
【００４９】
次に、ロック部材７３は、ばね性を有する材料により構成されており、内壁７１２ｂの曲面形状に沿う半円形状を成している。そして、ロック部材７３の両端には、それぞれ係合爪７３ａが形成されており、中央部分には外方向に向けて突出する突起部７３ｂが形成されている。
このように形成されたロック部材７３は、第２の接続管７２の後接続部７２ａの外周部７２１ａを端部で挟むように被さり、係合爪７３ａを係合させて取り付けられる。係合爪７３ａが係合する位置は、係合受部７２２ａである。
【００５０】
尚、このように取り付けられた状態において、ロック部材７３と後接続部７２ａの間には、隙間Δｄが形成された状態となっている。
また、ロック部材７３が後接続部７２ａに取り付けられた状態において、ロック部材７３の突起部７３ｂと後接続部７２ａが合わさった最大外形Ｍは、接続受部７１ｂの開口幅（係止凹部７１３ｂ，７１４ｂは含まず）より、若干大きいものとなっている。
【００５１】
以上のように、ロック部材７３が取り付けられた接続受部７１ｂを、接続受部７１ｂの内部に入れ込むことにより、第２の接続管７２に対して第１の接続管７１が回転可能に接続される。
【００５２】
ここで、図１５を参照して、床面吸込み具６とこれに接続される延長管５が通常の使用状態（Ｔ字形状のとき）から、第２の接続管７２に対して第１の接続管７１が、左右９０度未満の回転位置の状態を説明する。
ロック部材７３の突起部７３ｂと後接続部７２ａが合わさった最大外形Ｍは、接続受部７１ｂの開口幅より若干大きいので、後接続部７２ａに取り付けられたロック部材７３の突起部７３ｂは、隙間Δｄを小さくするように、第１の係止凹部７１２ｂと第２の係止凹部７１３ｂの間の内壁７１２ｂに押されて変形した状態となる。
【００５３】
このような状態で、第２の接続管７２に対して第１の接続管７１を回転させると、第１の係止凹部７１２ｂと第２の係止凹部７１３ｂの間の内壁７１２ｂは、凹凸が無い滑らかな壁面であるので、ロック部材７３のバネ特性による復元力で、突起部７３ｂが内壁７１２ｂを押した状態で、第１の接続管７１は回転する。
つまり、第２の接続管７２に対して第１の接続管７１が、左右９０度未満の範囲は、第２の接続管７２に対して第１の接続管７１は回転可能となっている。
【００５４】
次に、図１６を参照して、床面吸込み具６とこれに接続される延長管５が通常の使用状態（Ｔ字形状のとき）から、右方向に９０度回転した状態を説明する。
第２の接続管７２に対して第１の接続管７１を９０度回転させると、突起部７３ｂが第２の係合凹部７１４ｂと対向する位置となる。この時、ロック部材７３のバネ特性による復元力で、突起部７３ｂが外方向に移動し、第２の係合凹部７１４ｂに係合する。
【００５５】
これにより、ロック部材７３が取り付けられた第２の接続管７２に対して、第２の係合凹部７１４ｂが形成された第１の接続管７１が固定され、第１の接続管７１の回転を抑止することができる。
尚、第１の接続管７１の回転を抑止した状態は、上述の通り、床面吸込み具６をＩ字形状に変形した状態である。
従って、床面吸込み具７がＩ字形状の際に手元ハンドル体４を操作して持ち上げても、ケース体６０の自重による第１の接続管７１の回転を抑止して、Ｉ字形状を保つことができる。これにより、Ｉ字形状の状態での使い勝手を向上させることができる。
【符号の説明】
【００５６】
１  電気掃除機、２  本体、３  ホース、４  手元ハンドル体、５  延長管（集塵接続体）、６  床面吸込み具。
【図１】
2015146959.tif 000003
【図２】
2015146959.tif 000004
【図３】
2015146959.tif 000005
【図４】
2015146959.tif 000006
【図５】
2015146959.tif 000007
【図６】
2015146959.tif 000008
【図７】
2015146959.tif 000009
【図８】
2015146959.tif 000010
【図９】
2015146959.tif 000011
【図１０】
2015146959.tif 000012
【図１１】
2015146959.tif 000013
【図１２】
2015146959.tif 000014
【図１３】
2015146959.tif 000015
【図１４】
2015146959.tif 000016
【図１５】
2015146959.tif 000017
【図１６】
2015146959.tif 000018